(57)【要約】【課題】  携帯型コンテンツ再生装置が接続されていない場合でも、再生開始時刻に再生対象曲を再生することができる電子機器を提供する。【解決手段】  ＣＰＵは、ユーザ操作に応じて、再生開始時刻を設定し、ＨＤＤ又はＤＡＰに記録されている曲の中から再生開始時刻に再生する再生対象曲を設定する。マイコンは、再生開始時刻になったとき、再生対象コンテンツがＤＡＰに記録されているコンテンツであるか否かを判断する。そうであれば、マイコンは、ＤＡＰが接続されているか否かをさらに判断し、接続されていない場合、ＤＡＰに記録されている再生対象コンテンツの代わりに、ＨＤＤに記録されている再生対象コンテンツと同じコンテンツを、再生部に再生させる。従って、ＤＡＰが接続されていない場合でも、再生開始時刻に再生対象曲を再生することができる。【選択図】図１
2013127834.tif 000002
【特許請求の範囲】
【請求項１】
携帯型コンテンツ再生装置が接続可能な電子機器であって、
コンテンツを記録するためのコンテンツ記憶部と、
前記コンテンツ記憶部に記録されているコンテンツを再生し、スイッチへと供給する再生部と、
前記携帯型コンテンツ再生装置が接続可能であり、前記携帯型コンテンツ再生装置からのコンテンツを前記スイッチへと供給する接続部と、
前記再生部からのコンテンツを処理部に供給する状態、又は、前記携帯型コンテンツ再生装置からのコンテンツを前記処理部に供給する状態を切り換える前記スイッチと、
前記スイッチから供給されるコンテンツに処理を実行する前記処理部と、
ユーザ操作に応じて、再生開始時刻を設定し、前記コンテンツ記憶部または前記携帯型コンテンツ再生装置に記録されているコンテンツの中から前記再生開始時刻に再生する再生対象コンテンツを設定する設定部と、
前記再生開始時刻になったとき、設定されている再生対象コンテンツが前記携帯型コンテンツ再生装置に記録されているコンテンツであるか否かを判断し、
設定されている再生対象コンテンツが前記携帯型コンテンツ再生装置に記録されているコンテンツであると判断された場合、前記携帯型コンテンツ再生装置が前記接続部に接続されているか否かをさらに判断し、
前記携帯型コンテンツ再生装置が前記接続部に接続されていないと判断された場合、前記携帯型コンテンツ再生装置に記録されている再生対象コンテンツの代わりに、前記コンテンツ記憶部に記録されている再生対象コンテンツと同じコンテンツを、前記再生部に再生させる、制御部とを備える、電子機器。
【請求項２】
前記電子機器が電源オフ状態の場合においても、前記接続部、前記スイッチ、前記処理部および前記制御部に電源電圧を供給する電源部をさらに備え、
前記制御部が、前記携帯型コンテンツ再生装置が前記接続部に接続されていないと判断された場合、前記電子機器が電源オフ状態であるか否かをさらに判断し、
電源オフ状態であると判断された場合、前記電子機器を電源オン状態にさせ、前記携帯型コンテンツ再生装置に記録されている再生対象コンテンツの代わりに、前記コンテンツ記憶部に記録されている再生対象コンテンツと同じコンテンツを、前記再生部に再生させる、請求項１に記載の電子機器。
【請求項３】
前記設定部がユーザ操作に応じて前記携帯型コンテンツ再生装置に記録されているコンテンツを再生対象コンテンツに設定する場合、前記再生対象コンテンツが前記コンテンツ記憶部にも記録されているか否かを判断し、記録されていないと判断された場合、前記携帯型コンテンツ再生装置に記録されている前記再生対象コンテンツを前記コンテンツ記憶部に転送し、記録させる転送制御部をさらに備える、請求項１または２に記載の電子機器。
【発明の詳細な説明】
【技術分野】
【０００１】
本発明は、携帯型コンテンツ再生装置を接続可能な電子機器に関する。
【背景技術】
【０００２】
パーソナルコンピュータ（以下、ＰＣという。）は、内蔵されている記憶媒体（以下、ＨＤＤとする。）に、複数のコンテンツ（例えば、オーディオ（曲）ファイル）を記録可能であり、複数のオーディオファイルの中からユーザ操作によって選択されたオーディオファイルを再生することができる。また、屋外等でオーディオファイルを再生するために、記憶媒体（フラッシュメモリ等）を内蔵する携帯型プレーヤ（以下、ＤＡＰという。）が使用される。ＤＡＰは、ＰＣのＨＤＤからオーディオファイルが転送され、フラッシュメモリにオーディオファイルを記録することができる。最近では、ＤＡＰ用のクレードル（充電装置）を備えるＰＣが登場してきている。このＰＣは、クレードル経由でＤＡＰを充電させる他、ＤＡＰによって再生され、ＤＡＰから出力されるオーディオデータをクレードル経由で受信し、アンプで増幅し、スピーカーから音声を出力することができる。
【０００３】
ＰＣにタイマー設定／タイマー再生機能が設けられており、設定された再生開始時刻に、設定された再生対象曲を再生開始する。再生対象曲は、ＰＣのＨＤＤに記録されている曲、及び、ＤＡＰに記録されている曲の中からユーザ操作に応じて選択される。ここで、ＤＡＰに記録されている曲が再生対象曲として選択されたとき、再生開始時刻にＤＡＰが接続されていないと、再生対象曲をＤＡＰから再生開始できない。
【先行技術文献】
【特許文献】
【０００４】
【特許文献１】特開２００２−６９７７号公報
【発明の概要】
【発明が解決しようとする課題】
【０００５】
本発明は上記従来の課題を解決するためになされたものであり、その目的は、携帯型コンテンツ再生装置が接続されていない場合でも、再生開始時刻に再生対象曲を再生することができる電子機器を提供することである。
【課題を解決するための手段】
【０００６】
本発明の好ましい実施形態による電子機器は、携帯型コンテンツ再生装置が接続可能な電子機器であって、コンテンツを記録するためのコンテンツ記憶部と、前記コンテンツ記憶部に記録されているコンテンツを再生し、スイッチへと供給する再生部と、前記携帯型コンテンツ再生装置が接続可能であり、前記携帯型コンテンツ再生装置からのコンテンツを前記スイッチへと供給する接続部と、前記再生部からのコンテンツを処理部に供給する状態、又は、前記携帯型コンテンツ再生装置からのコンテンツを前記処理部に供給する状態を切り換える前記スイッチと、前記スイッチから供給されるコンテンツに処理を実行する前記処理部と、ユーザ操作に応じて、再生開始時刻を設定し、前記コンテンツ記憶部または前記携帯型コンテンツ再生装置に記録されているコンテンツの中から前記再生開始時刻に再生する再生対象コンテンツを設定する設定部と、前記再生開始時刻になったとき、設定されている再生対象コンテンツが前記携帯型コンテンツ再生装置に記録されているコンテンツであるか否かを判断し、設定されている再生対象コンテンツが前記携帯型コンテンツ再生装置に記録されているコンテンツであると判断された場合、前記携帯型コンテンツ再生装置が前記接続部に接続されているか否かをさらに判断し、前記携帯型コンテンツ再生装置が前記接続部に接続されていないと判断された場合、前記携帯型コンテンツ再生装置に記録されている再生対象コンテンツの代わりに、前記コンテンツ記憶部に記録されている再生対象コンテンツと同じコンテンツを、前記再生部に再生させる、制御部とを備える。
【０００７】
設定部は、ユーザ操作に応じて、再生開始時刻を設定し、コンテンツ記憶部または携帯型コンテンツ再生装置に記録されているコンテンツの中から再生開始時刻に再生する再生対象コンテンツを設定する。制御部は、再生開始時刻になったとき、設定されている再生対象コンテンツが携帯型コンテンツ再生装置に記録されているコンテンツであるか否かを判断する。再生対象コンテンツが携帯型コンテンツ再生装置に記録されているコンテンツであると判断された場合、制御部は、携帯型コンテンツ再生装置が接続部に接続されているか否かをさらに判断し、接続されていないと判断された場合、携帯型コンテンツ再生装置に記録されている再生対象コンテンツの代わりに、コンテンツ記憶部に記録されている再生対象コンテンツと同じコンテンツを、再生部に再生させる。従って、携帯型コンテンツ再生装置が接続されていない場合でも、再生開始時刻に再生対象曲を再生することができる。
【０００８】
好ましい実施形態においては、前記電子機器が電源オフ状態の場合においても、前記接続部、前記スイッチ、前記処理部および前記制御部に電源電圧を供給する電源部をさらに備え、前記制御部が、前記携帯型コンテンツ再生装置が前記接続部に接続されていないと判断された場合、前記電子機器が電源オフ状態であるか否かをさらに判断し、電源オフ状態であると判断された場合、前記電子機器を電源オン状態にさせ、前記携帯型コンテンツ再生装置に記録されている再生対象コンテンツの代わりに、前記コンテンツ記憶部に記録されている再生対象コンテンツと同じコンテンツを、前記再生部に再生させる。
【０００９】
好ましい実施形態においては、前記設定部がユーザ操作に応じて前記携帯型コンテンツ再生装置に記録されているコンテンツを再生対象コンテンツに設定する場合、前記再生対象コンテンツが前記コンテンツ記憶部にも記録されているか否かを判断し、記録されていないと判断された場合、前記携帯型コンテンツ再生装置に記録されている前記再生対象コンテンツを前記コンテンツ記憶部に転送し、記録させる転送制御部をさらに備える。
【００１０】
この場合、コンテンツ記憶部に再生対象コンテンツと同じコンテンツを記録させることが出来るので、より確実に、携帯型コンテンツ再生装置に記録されている再生対象コンテンツの代わりに、コンテンツ記憶部に記録されている再生対象コンテンツと同じコンテンツを、再生部に再生させることができる。
【発明の効果】
【００１１】
携帯型コンテンツ再生装置が接続されていない場合でも、再生開始時刻に再生対象曲を再生することができる電子機器を提供することができる。
【図面の簡単な説明】
【００１２】
【図１】ＰＣ１００の構成を示すブロック図である。
【図２】ＰＣ１００のコンテンツリストを示す図である。
【図３】ＤＡＰ１６のコンテンツリストを示す図である。
【図４】マイコン１３の処理を示すフローチャートである。
【図５】ＣＰＵ７の処理を示すフローチャートである。
【図６】ＣＰＵ７の処理を示すフローチャートである。
【図７】マイコン１３の処理を示すフローチャートである。
【図８】マイコン１３の処理を示すフローチャートである。
【発明を実施するための形態】
【００１３】
以下、本発明の好ましい実施形態による電子機器の一例であるパーソナルコンピュータ（以下、ＰＣという。）１００について説明する。図１は、ＰＣ１００の構成を示す概略ブロック図である。ＰＣ１００は、表示部１と、マザーボード２と、ＨＤＤ（Hard Disk Drive）３と、入力部４と、電源部５と、クレードル６と、スピーカー１５とを備える。表示部１、入力部４、クレードル６およびスピーカー１５はＰＣ１００と一体でもよく、独立していてもよい。クレードル６には、携帯型プレーヤ（以下、ＤＡＰ（Digital Audio Player）という。）１６が接続可能である。
【００１４】
ＨＤＤ３は、記憶媒体の一例であり、複数のコンテンツを記録可能である。コンテンツは、オーディオ（曲）データ、ビデオデータ、又は、ピクチャデータ等の総称であるが、本例では、オーディオデータ（オーディオファイル）である。ＨＤＤ３には、ＯＳ（Operating System）やコンテンツ再生アプリケーションプログラム（以下、再生アプリという。）がインストールされている。再生アプリによって、オーディオファイルがＨＤＤ３にリッピングされ、又は、ＨＤＤ３に記録されているオーディオファイルが再生される。また、ＨＤＤ３には、図２に示すように、ＨＤＤ３に記録されている全曲ファイルに関するコンテンツリストが格納されている。コンテンツリストは、例えば、曲ＩＤ、曲名、アーティスト名及びアルバム名等を含む。
【００１５】
入力部４は、ユーザ操作が入力されるものであり、マウス、キーボードまたはリモコン等である。例えば、入力部４は、ユーザ操作によって、ＨＤＤ３に記録されているオーディオファイルを再生するか、又は、ＤＡＰ１６に記録されているオーディオファイルを再生するかを選択する指示が入力される。
【００１６】
表示部１は、ＯＳや再生アプリの画面、又は、ビデオデータを表示するものであり、ＬＣＤ（Liquid Crystal Display）等である。
【００１７】
電源部５は、ＰＣ１００の全体又は一部に電源電圧を供給する回路である。電源部５は、後述する電源管理ブロック１０によって制御され、ＰＣ１００全体に電源電圧を供給する電源オン状態と、ＰＣ１００の一部（後述）のみに電源電圧を供給し、その他の部分に電源電圧を供給しない電源オフ状態とに制御される。ここで、電源オフ状態とは、シャットダウン、スタンバイ、スリープまたはハイバネート等の意味を含む。
【００１８】
マザーボード２は、ＣＰＵ７と、メモリ８と、オーディオブロック９と、電源管理ブロック１０とを含む。ＣＰＵ７は、ＨＤＤ３にインストールされているＯＳや、再生アプリ等のプログラムを実行する。
【００１９】
オーディオブロック９は、オーディオデバイス（例えばＨＤオーディオコーデック）１１と、スイッチ（例えばアナログスイッチ）１２と、マイコン１３と、アンプ（例えばデジタルアンプ）１４とを含む。
【００２０】
オーディオデバイス１１には、ＨＤＤ３に記録されているオーディオファイルが再生アプリによって再生され、再生されたオーディオデータが供給される。オーディオデバイス１１は、ＨＤＤ３からのオーディオデータをデコード、デジタルアナログ変換、ボリューム調整、イコライザ処理、および／または、その他信号処理を実行し、オーディオデータをスイッチ１２の端子ｂに供給する。なお、オーディオデバイス１１、ＣＰＵ７および／または再生アプリの機能を再生部と定義する。
【００２１】
ＤＡＰ１６は、記憶媒体（以下、フラッシュメモリという。）を内蔵しており、フラッシュメモリに複数のコンテンツ（以下、オーディオファイル。）を記録可能である。ＤＡＰ１６は、複数のオーディオファイルの中からユーザ操作によって選択されたオーディオファイルを再生し、再生したオーディオデータをクレードル６に供給する。また、フラッシュメモリには、図４に示すように、フラッシュメモリに記録されている全曲ファイルに関するコンテンツリストが格納されている。コンテンツリストは、例えば、曲ＩＤ、曲名、アーティスト名及びアルバム名等を含む。
【００２２】
クレードル６は、ＤＡＰ１６によって再生されたオーディオデータを、ＤＡＰ１６から受信し、スイッチ部１２の端子ｃに供給する。また、クレードル６は、電源部５から電源電圧が供給され、ＤＡＰ１６のバッテリを充電する。また、クレードル６は、ＤＡＰ１６がクレードル６に接続されているか否かを検出しており、ＤＡＰ１６がクレードル６に接続されているか否かの情報（ＤＡＰ接続状態情報）をマイコン１３に通知する。なお、クレードル６へのＤＡＰ１６の接続検出は、接続検出端子を使用する等の周知の技術によって実現することができる。クレードル６からマイコン１３への通知は、ＤＡＰ１６がクレードル６に接続された時、又は、ＤＡＰ１６がクレードル６から接続解除された時に実行されてもよく、定期的に実行されてもよい。
【００２３】
スイッチ１２は、ＣＰＵ７およびマイコン１３によって制御され、ＨＤＤ３からオーディオデバイス１１を介して供給されるオーディオデータをアンプ１４に供給する状態、又は、ＤＡＰ１６からクレードル６を介して供給されるオーディオデータをアンプ１４に供給する状態を切り換える。詳細には、スイッチ１２は、オーディオデバイス１２が接続される端子ｂと、クレードル６が接続される端子ｃとのいずれか一方を選択し、アンプ１４が接続される端子ａに接続させる。
【００２４】
マイコン１３は、図示しない内蔵メモリなどに記録されているプログラムを実行することによって、後述する各処理を実行する。マイコン１３は、ユーザ操作等に応じて、スイッチ１２の選択状態を切り換えさせる。
【００２５】
アンプ１４は、コンテンツに処理を実行する処理部の一例であり、スイッチ１２から供給されたオーディオデータを増幅し、スピーカー１５から音声を出力させる。
【００２６】
電源管理ブロック１０は、ユーザ操作に応じて、ＰＣ１００の電源状態が電源オン状態、または、電源オフ状態になるように、電源部５を制御する。詳細には、電源管理ブロック１０は、ＰＣ１００を電源オン状態にする際には、電源部５に、ＰＣ１００全体に電源電圧を供給させる。一方、電源管理ブロック１０は、ＰＣ１００を電源オフ状態にする際には、電源部５に、ＤＡＰ１６からのオーディオデータを増幅し、スピーカー１５から音声を出力するため、および、タイマーカウントやタイマー再生を実行するために必要な部分のみに電源電圧を供給させる。詳細には、電源オフ状態において、クレードル６、スイッチ１２、マイコン１３およびアンプ１４に電源電圧が供給される（クレードル６、スイッチ１２、マイコン１３およびアンプ１４を動作可能状態にする）。従って、ＰＣ１００が電源オフ状態であっても、クレードル６、スイッチ１２およびマイコン１３に電源電圧が供給されている（動作可能状態である）ので、オーディオデバイス１１からのオーディオデータをアンプ１４に供給する状態、又は、クレードル６からのオーディオデータをアンプ１４に供給する状態をスイッチ１２に切り換えさせることができる。また、ＰＣ１００が電源オフ状態であっても、アンプ１４に電源電圧が供給されている（動作可能状態である）ので、ＤＡＰ１６からのオーディオデータをアンプ１４で増幅し、スピーカー１５から音声を出力することができる。また、電源管理ブロック１０は、マイコン１３に、ＰＣ１００が電源オン状態であるか否かの情報（電源状態情報）を通知する。
【００２７】
ＣＰＵ７は、ユーザ操作に応じて、タイマー再生のための再生開始時刻を設定し、ＨＤＤ３またはＤＡＰ１６に記録されている曲の中から、再生開始時刻に再生する再生対象曲を設定し、マイコン１３に通知する。
【００２８】
マイコン１３は、内部タイマーを使用して再生開始時刻になったと判断したとき、設定されている再生対象曲がＨＤＤ３に記録されている曲であるか否かを判断する。マイコン１３は、設定されている再生対象曲がＨＤＤ３に記録されている曲であると判断すると、設定されている再生対象曲と同じ曲がＤＡＰ１６にも記録されているか否かをさらに判断し、記録されていると判断した場合、ＨＤＤ３に記録されている再生対象曲の代わりに、ＤＡＰ１６に記録されている再生対象曲と同じ曲を、ＤＡＰ１６に再生させる。
【００２９】
マイコン１３は、内部タイマーを使用して再生開始時刻になったと判断したとき、設定されている再生対象曲がＤＡＰ１６に記録されている曲であるか否かを判断する。マイコン１３は、設定されている再生対象曲がＤＡＰ１６に記録されている曲であると判断すると、ＤＡＰ１６がクレードル６に接続されているか否かをさらに判断し、接続されていないと判断すると、ＤＡＰ１６に記録されている再生対象コンテンツの代わりに、ＨＤＤ３に記録されている再生対象曲と同じ曲を、再生させる。
【００３０】
以下、ＰＣ１００の動作を説明する。ＤＡＰ１６がクレードル６に接続されたとき、クレードル６はＤＡＰ１６が接続されたことを検出し、マイコン１３およびＣＰＵ７に通知する。図４に示すように、ＣＰＵ７（又はマイコン１３）は、ＤＡＰ１６が接続されたか否かを判断する（Ｓ１）、ＤＡＰ１６が接続された場合（Ｓ１でＹＥＳ）、ＣＰＵ７は、クレードル６を介してＤＡＰ１６に、ＤＡＰ１６のコンテンツリストを送信するように要求する。ＤＡＰ１６は、ＣＰＵ７にコンテンツリストを送信する。ＣＰＵ７は、コンテンツリストを受信し、メモリ８に保存する（Ｓ２）。
【００３１】
図５は、ＣＰＵ７（再生アプリ）のタイマー設定処理を示すフローチャートである。ＣＰＵ７は、ユーザ操作によって、タイマー設定を実行する指示が入力されたか否かを判断する（Ｓ１１）。詳細には、ユーザ操作によって、再生開始時刻が入力され、再生対象曲が選択されたか否かが判断される。再生対象曲は、図２のＰＣ１００のコンテンツリスト、又は、図３のＤＡＰ１６のコンテンツリストが表示部１に表示されて、ユーザ操作によって選択される。
【００３２】
ＣＰＵ７は、選択された曲は、ＤＡＰ１６に記録されている曲であるか否かを判断する（Ｓ１２）。すなわち、ＤＡＰ１６のコンテンツリストから再生対象曲が選択されたか否かが判断される。ＤＡＰ１６に記録されている曲が選択された場合（Ｓ１２でＹＥＳ）、ＣＰＵ７は、マイコン１３に、入力された再生開始時刻と、再生対象曲の曲情報（例えば曲ＩＤ等）と、保存先情報（例えばＤＡＰ１６の識別情報）とを供給する（Ｓ１３）。マイコン１３は、受信した再生開始時刻、再生対象曲の曲情報、及び、保存先情報を内蔵メモリ等に保存する。マイコン１３がタイマー設定の情報を管理するのは、ＰＣ１００が電源オフ状態の時でもマイコン１３には電源電圧が供給されて動作可能であるので、マイコン１３がタイマー再生の動作を実行するためである。
【００３３】
一方、ＤＡＰ１６に記録されている曲ではなく、ＰＣ１００に記録されている曲が選択された場合（Ｓ１２でＮＯ）、ＣＰＵ７は、クレードル６にＤＡＰが接続されているか否かを判断する（Ｓ１４）。この情報は、以前にクレードル６からマイコン１３に通知された接続情報を参照してもよく、改めてクレードル６に問い合わせてもよい。
【００３４】
ＤＡＰ１６がクレードル６に接続されている場合（Ｓ１４でＹＥＳ）、選択された再生対象曲が現在接続されているＤＡＰ１６に転送済みであるか、つまり、ＤＡＰ１６にも記録されているか否かを判断する（Ｓ１５）。この判断処理は、ＤＡＰ１６が接続されている場合、図４の処理においてＤＡＰ１６からコンテンツリストを取得しているので、ＤＡＰ１６のコンテンツリストにも同じ曲（曲ＩＤが同じ、あるいは、アーティスト名及び曲名の組合わせが同じ曲）が含まれているかを判断すればよい。あるいは、改めて、現在接続されているＤＡＰ１６に、選択された再生対象曲を記録済みであるかを問い合わせてもよい。
【００３５】
選択された再生対象曲が現在接続されているＤＡＰ１６に転送済みでない場合（Ｓ１５でＮＯ）、ＣＰＵ７は、現在接続されているＤＡＰ１６のフラッシュメモリ等の記憶媒体に所定サイズ以上の空き領域が存在するかを判断する（Ｓ１６）。この情報は、ＤＡＰ１６がクレードル６に接続されたときに、ＤＡＰ１６から取得し、メモリ８に保存されているので、この情報を読み出して判断する。
【００３６】
ＤＡＰ１６の記憶媒体に所定サイズ以上の空き領域が存在する場合（Ｓ１６でＹＥＳ）、ＣＰＵ７は、選択された再生対象曲の曲ファイルをＨＤＤ３から読み出して、クレードル６経由で、ＤＡＰ１６に転送し、ＤＡＰ１６の記憶媒体に記録させる（Ｓ１７）。その後、処理はＳ１３に進む。これにより、タイマー再生時に、ＰＣ１００が電源オフ状態であっても、ＰＣ１００を電源オン状態に移行させることなく、ＤＡＰ１６から再生対象曲を再生することが可能となる。
【００３７】
Ｓ１４でＤＡＰ１６が接続されていないと判断された場合、又は、Ｓ１５で選択された再生対象曲がＤＡＰ１６に転送済みであると判断された場合、又は、Ｓ１６でＤＡＰ１６の記憶媒体に所定サイズ以上の空き容量が存在しないと判断された場合にも、Ｓ１３に進む。Ｓ１３では、ＣＰＵ７は、マイコン１３に、入力された再生開始時刻と、再生対象曲の曲情報（例えば曲ＩＤ等）と、保存先情報（ＰＣ１００のＨＤＤである旨の情報）とを供給する。マイコン１３は、受信した再生開始時刻、再生対象曲の曲情報、及び、保存先情報を内蔵メモリ等に保存する。マイコン１３がタイマー設定の情報を管理するのは、ＰＣ１００が電源オフ状態の時でもマイコン１３には電源電圧が供給されて動作可能であるので、マイコン１３がタイマー再生の動作を実行するためである。なお、本フローチャートにおいて、Ｓ１４〜Ｓ１７の処理が省かれても良い。
【００３８】
図６は、ＣＰＵ７のタイマー設定処理の変形例であり、図５と同一処理には同一符号を付し、説明を援用する。Ｓ１２において、選択された再生対象曲がＤＡＰ１６に記録されている曲であると判断された場合、ＣＰＵ７は、選択された再生対象曲がＰＣ１００のＨＤＤ３にも記録されているか否かを判断する（Ｓ１８）。すなわち、図２のコンテンツリストの中に、選択された再生対象曲と同じ曲（曲ＩＤが同じ、あるいは、アーティスト名及び曲名の組合わせが同じ曲）が存在するか否かを判断する（Ｓ１８）。選択された再生対象曲がＰＣ１００のＨＤＤ３にも記録されている場合（Ｓ１８でＹＥＳ）、処理はＳ１３に進む。一方、選択された再生対象曲がＰＣ１００のＨＤＤ３に記録されていない場合（Ｓ１８でＮＯ）、ＣＰＵ７は、選択された再生対象曲を転送するようにクレードル経由でＤＡＰ１６に指示を送信する。そして、ＣＰＵ７は、ＤＡＰ１６から、再生対象曲をクレードル６経由で取得し、ＨＤＤ３に記録させる（Ｓ１９）。その後、処理はＳ１３に進む。従って、再生対象曲がＰＣ１００にも記録された状態にすることができるので、タイマー再生を開始する際に、仮にＤＡＰ１６がクレードル６に接続されていなかったとしても、再生対象曲を再生開始することができる。
【００３９】
図７は、マイコン１３のタイマー再生処理を示すフローチャートである。タイマー再生処理は、ＰＣ１００が電源オン状態の時でも、電源オフ状態の時でも実行可能である。タイマー再生を統括するマイコン１３に、電源オフ状態においても電源電圧が供給されているからである。マイコン１３は、設定されている再生開始時刻になったか否かを判断している（Ｓ２１）。現在時刻の判定はマイコン１３の内部時計が利用される。再生開始時刻になった場合（Ｓ２１でＹＥＳ）、マイコン７は、タイマー設定されている保存先情報がＤＡＰ１６であるか否かを判断する（Ｓ２２）。つまり、ＤＡＰ１６の曲をタイマー再生するよう設定されているかが判断される。
【００４０】
保存先情報がＤＡＰである場合（Ｓ２２でＹＥＳ）、マイコン１３は、保存先情報と一致するＤＡＰ１６がクレードル６に接続されているか否かを判断する（Ｓ２３）。すなわち、現在接続されているＤＡＰ１６の識別情報をＤＡＰ１６からクレードル６経由で取得する（あるいは接続時に取得しておいて識別情報を参照する）。そしてマイコン７は、保存先情報の識別情報と、現在接続されているＤＡＰ１６の識別情報とが同じであるかを判断する。
【００４１】
保存先情報と一致するＤＡＰ１６がクレードル６に接続されている場合（Ｓ２３でＹＥＳ）、ＤＡＰ１６から再生対象曲を再生することが可能である。従って、マイコン７は、ＤＡＰ１６に、設定されている再生対象曲の曲情報をクレードル６経由で送信し、ＤＡＰ１６に再生対象曲を再生開始するように指示する（Ｓ２４）。マイコン１３は、スイッチ１２にクレードル６側（端子ｃ）を選択させ、ＤＡＰ１６からクレードル６経由で供給されるオーディオデータをアンプ１４に供給する状態に切り換えさせる。（Ｓ２５）。ＤＡＰ１６は、当該再生開始指示を受信することにより、再生対象曲を再生開始し、オーディオデータをクレードル６に出力する。クレードル６は、オーディオデータをスイッチ１２を介してアンプ１４に供給し、アンプ１４はオーディオデータを増幅し、スピーカー１５にオーディオ信号を出力する。
【００４２】
保存先情報と一致するＤＡＰ１６がクレードル６に接続されていない場合（Ｓ２３でＮＯ）、つまり、ＤＡＰ１６が接続されていない場合、あるいは、ＤＡＰ１６が接続されているものの、タイマー設定時に再生対象曲が選択されたＤＡＰとは異なるＤＡＰが現在接続されている場合、現在接続されているＤＡＰから再生対象曲を再生することが出来ないと考えられる。この場合、ＤＡＰ１６の代わりにＰＣ１００のＨＤＤ３に記録されている、再生対象曲と同じ曲を再生する。マイコン１３は、ＣＰＵ７（再生アプリ）に、再生対象曲の曲情報を送信し、再生対象曲を再生開始するように指示する（Ｓ２８）。マイコン１３は、スイッチ１２にオーディオデバイス１１側（端子ｂ）を選択させ、ＨＤＤ３からオーディオデバイス１１経由で供給されるオーディオデータをアンプ１４に供給する状態にスイッチ１２に切り換えさせる。（Ｓ２９）。
【００４３】
ＣＰＵ７は、当該再生開始指示を受信することにより、再生対象曲をＨＤＤ３から読み出してオーディオデバイス１１に供給する。オーディオデバイス１１は、再生対象曲を再生し、オーディオデータをスイッチ１２を介してアンプ１４に供給する。アンプ１４はオーディオデータを増幅し、スピーカー１５にオーディオ信号を出力する。
【００４４】
Ｓ２２において、保存先情報がＤＡＰではなく、ＰＣ１００のＨＤＤ３である場合（Ｓ２２でＮＯ）、クレードル６にＤＡＰ１６が接続されているか否かを判断する（Ｓ２６）。ＤＡＰ１６がクレードル６に接続されている場合（Ｓ２６でＹＥＳ）、マイコン１３は、現在接続されているＤＡＰ１６に再生対象曲と同じ曲（曲ＩＤが同じ、あるいは、アーティスト名及び曲名の組合わせが同じ曲）が記録されているか否かを判断する（Ｓ２７）。この処理は、図３のＤＡＰ１６のコンテンツリストに再生対象曲と同じ曲が含まれているか否かを判断することで判断してもよく、ＤＡＰ１６に問い合わせて判断してもよい。
【００４５】
現在接続されているＤＡＰ１６に再生対象曲と同じ曲が記録されている場合（Ｓ２７でＹＥＳ）、タイマー設定の保存先情報がＰＣ１００のＨＤＤ３であるにもかかわらず、ＤＡＰ１６の同一曲を再生開始する。その結果、ＰＣ１００が仮に電源オフ状態であったとしても、ＰＣ１００を電源オン状態にすることなく、再生対象曲を再生開始することができる。従って、消費電力の低減に寄与することができる。マイコン７は、ＤＡＰ１６に、設定されている再生対象曲の曲情報をクレードル６経由で送信し、ＤＡＰ１６に再生対象曲を再生開始するように指示する（Ｓ２４）。マイコン１３は、スイッチ１２にクレードル６側（端子ｃ）を選択させ、ＤＡＰ１６からクレードル６経由で供給されるオーディオデータをアンプ１４に供給する状態に切り換えさせる。（Ｓ２５）。ＤＡＰ１６は、当該再生開始指示を受信することにより、再生対象曲を再生開始し、オーディオデータをクレードル６に出力する。クレードル６は、オーディオデータをスイッチ１２を介してアンプ１４に供給し、アンプ１４はオーディオデータを増幅し、スピーカー１５にオーディオ信号を出力する。
【００４６】
Ｓ２６においてＤＡＰ１６が接続されていないと判断された場合（Ｓ２６でＮＯ）、又は、Ｓ２７で再生対象曲と同じ曲が現在接続されているＤＡＰ１６に記録されていないと判断された場合（Ｓ２７でＮＯ）、Ｓ２８に進む。つまり、ＤＡＰ１６から再生対象曲を再生することができないので、ユーザ指定の通りＰＣ１００のＨＤＤ３から再生対象曲を再生する。マイコン１３は、ＣＰＵ７（再生アプリ）に、再生対象曲の曲情報を送信し、再生対象曲を再生開始するように指示する（Ｓ２８）。マイコン１３は、スイッチ１２にオーディオデバイス１１側（端子ｂ）を選択させ、ＨＤＤ３からオーディオデバイス１１経由で供給されるオーディオデータをアンプ１４に供給する状態にスイッチ１２に切り換えさせる。（Ｓ２９）。ＣＰＵ７は、当該再生開始指示を受信することにより、再生対象曲をＨＤＤ３から読み出してオーディオデバイス１１に供給する。オーディオデバイス１１は、再生対象曲を再生し、オーディオデータをスイッチ１２を介してアンプ１４に供給する。アンプ１４はオーディオデータを増幅し、スピーカー１５にオーディオ信号を出力する。
【００４７】
図８は、マイコン１３のタイマー再生処理の変形例を示し、図７と同一処理には同一符号を付し、説明を援用する。Ｓ２２において、保存先情報がＤＡＰではなく、ＰＣ１００のＨＤＤ３であると判断された場合（Ｓ２２でＮＯ）、マイコン１３は、ＰＣ１００が電源オン状態であるか否かを判断する（Ｓ３０）。ＰＣ１００が電源オン状態である場合（Ｓ３０でＹＥＳ）、再生対象曲と同じ曲をＤＡＰ１６から再生する必要がない。ＰＣ１００を電源オフ状態から電源オン状態に移行させる必要がないからである。従って、処理はＳ２８に進み、マイコン１３は、ＣＰＵ７（再生アプリ）に、再生対象曲の曲情報を送信し、再生対象曲を再生開始するように指示する（Ｓ２８）。マイコン１３は、スイッチ１２にオーディオデバイス１１側（端子ｂ）を選択させ、ＨＤＤ３からオーディオデバイス１１経由で供給されるオーディオデータをアンプ１４に供給する状態にスイッチ１２に切り換えさせる（Ｓ２９）。ＣＰＵ７は、当該再生開始指示を受信することにより、再生対象曲をＨＤＤ３から読み出してオーディオデバイス１１に供給する。オーディオデバイス１１は、再生対象曲を再生し、オーディオデータをスイッチ１２を介してアンプ１４に供給する。アンプ１４はオーディオデータを増幅し、スピーカー１５にオーディオ信号を出力する。
【００４８】
ＰＣ１０が電源オフ状態である場合（Ｓ３０でＮＯ）、処理はＳ２６に進む。そして、Ｓ２６においてＤＡＰ１６が接続されていないと判断された場合（Ｓ２６でＮＯ）、又は、Ｓ２７で再生対象曲と同じ曲が現在接続されているＤＡＰ１６に記録されていないと判断された場合（Ｓ２７でＮＯ）、マイコン１３は、ＰＣ１００を電源オン状態にする（Ｓ３１）。つまり、ＤＡＰ１６から再生対象曲を再生することができないので、ユーザ指定の通りＰＣ１００のＨＤＤ３から再生対象曲を再生するためである。マイコン１３は、ＣＰＵ７（再生アプリ）に、再生対象曲の曲情報を送信し、再生対象曲を再生開始するように指示する（Ｓ２８）。マイコン１３は、スイッチ１２にオーディオデバイス１１側（端子ｂ）を選択させ、ＨＤＤ３からオーディオデバイス１１経由で供給されるオーディオデータをアンプ１４に供給する状態にスイッチ１２に切り換えさせる。（Ｓ２９）。ＣＰＵ７は、当該再生開始指示を受信することにより、再生対象曲をＨＤＤ３から読み出してオーディオデバイス１１に供給する。オーディオデバイス１１は、再生対象曲を再生し、オーディオデータをスイッチ１２を介してアンプ１４に供給する。アンプ１４はオーディオデータを増幅し、スピーカー１５にオーディオ信号を出力する。
【００４９】
Ｓ２３で保存先情報と一致するＤＡＰ１６が接続されていない場合（Ｓ２３でＮＯ）、マイコン１３は、ＰＣ１００が電源オン状態であるか否かを判断する（Ｓ３２）。ＰＣ１００が電源オン状態である場合（Ｓ３２でＹＥＳ）、処理はＳ２８に進む。マイコン１３は、ＣＰＵ７（再生アプリ）に、再生対象曲の曲情報を送信し、再生対象曲を再生開始するように指示する（Ｓ２８）。マイコン１３は、スイッチ１２にオーディオデバイス１１側（端子ｂ）を選択させ、ＨＤＤ３からオーディオデバイス１１経由で供給されるオーディオデータをアンプ１４に供給する状態にスイッチ１２に切り換えさせる。（Ｓ２９）。
【００５０】
ＰＣ１００が電源オフ状態であると判断された場合（Ｓ３２でＮＯ）、マイコン１３は、ＰＣ１００を電源オン状態にする（Ｓ３１）。つまり、ＤＡＰ１６から再生対象曲を再生することができないので、ユーザ指定の通りＰＣ１００のＨＤＤ３から再生対象曲を再生するためである。マイコン１３は、ＣＰＵ７（再生アプリ）に、再生対象曲の曲情報を送信し、再生対象曲を再生開始するように指示する（Ｓ２８）。マイコン１３は、スイッチ１２にオーディオデバイス１１側（端子ｂ）を選択させ、ＨＤＤ３からオーディオデバイス１１経由で供給されるオーディオデータをアンプ１４に供給する状態にスイッチ１２に切り換えさせる。（Ｓ２９）。
【００５１】
以上、本発明の好ましい実施形態を説明したが、本発明はこれらの実施形態には限定されない。例えば、ＰＣ１００においてＤＡＰ１６の曲リストを常に管理するとメモリの容量が多く必要であるので、単にタイマー再生する曲リストとして、曲ＤＩと、保存先（ＨＤＤ又はＤＡＰ）と、ＨＤＤの曲をＤＡＰに転送して記録済みであるか否かを示すフラグとのみを管理しても良い。コンテンツにオーディオデータではなく、ビデオデータやピクチャデータが採用されてもよい。本発明は、ＰＣ以外にもＡＶアンプ等のＡＶ機器に適用することができる。携帯型コンテンツ再生装置は、スマートフォンなどの携帯電話や携帯型ゲーム機でもよい。
【産業上の利用可能性】
【００５２】
本発明は、デスクトップＰＣやノードＰＣ等に好適に採用され得る。
【符号の説明】
【００５３】
１００          ＰＣ
１０１          ＰＣ
１              表示部
２              マザーボード
３              ＨＤＤ
４              入力部
５              電源部
６              クレードル
７              ＣＰＵ
８              メモリ
９              オーディオブロック
１０            電源管理ブロック
１１            オーディオデバイス
１２            スイッチ
１３            マイコン
１４            アンプ
１５            スピーカー
１６            ＤＡＰ
【図１】
2013127834.tif 000003
【図２】
2013127834.tif 000004
【図３】
2013127834.tif 000005
【図４】
2013127834.tif 000006
【図５】
2013127834.tif 000007
【図６】
2013127834.tif 000008
【図７】
2013127834.tif 000009
【図８】
2013127834.tif 000010